【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
撮像手段の撮像に応じて得られる撮像画像から所定の対象物を検出する対象物検出手段より、前記検出に基づく検出情報を取得する検出情報取得手段と、
前記撮像画像において前記対象物を配置すべき配置状態を示す配置アシスト画像を前記撮像画像に重ねて表示手段に表示させ、前記表示されている配置アシスト画像と前記検出された対象物の前記撮像画像における配置状態に応じて、前記配置アシスト画像を変化させる表示制御手段と
を具備する画像処理装置。
【請求項２】
前記表示制御手段は、前記表示されている配置アシスト画像により特定される対象物の位置と前記検出された対象物の前記撮像画像における位置との差分値である位置差分値と、前記表示されている配置アシスト画像により特定される対象物のサイズと前記検出された対象物の前記撮像画像におけるサイズとの差分値であるサイズ差分値との双方が所定の範囲内になった場合には、前記配置アシスト画像を変化させる請求項１記載の画像処理装置。
【請求項３】
前記表示制御手段は、前記位置差分値および前記サイズ差分値の双方が所定の範囲内になる度に、前記配置アシスト画像を所定の順序に従って順次変化させる請求項２記載の画像処理装置。
【請求項４】
前記検出された対象物が特定の対象物であるか否かを識別する特定対象物識別手段をさらに具備し、
前記表示制御手段は、前記表示されている配置アシスト画像および前記識別された特定の対象物に関する前記位置差分値および前記サイズ差分値の双方が所定の範囲内になった場合に前記配置アシスト画像を変化させる
請求項２記載の画像処理装置。
【請求項５】
前記識別された特定の対象物の前記撮像画像における位置およびサイズに基づいて前記識別された特定の対象物に付す特定対象物マーカを生成する特定対象物マーカ生成手段をさらに具備し、
前記表示制御手段は、前記配置アシスト画像と前記生成された特定対象物マーカとを前記撮像画像に重ねて表示させる
請求項４記載の画像処理装置。
【請求項６】
複数の前記対象物のうちから少なくとも１つの対象物を指定する指定信号を受け付ける受付手段をさらに具備し、
前記特定対象物識別手段は、前記指定された対象物を識別するための特定対象物識別情報を用いて前記検出された対象物が前記特定の対象物であるか否かを識別する
請求項４記載の画像処理装置。
【請求項７】
前記位置差分値およびサイズ差分値を算出する差分値算出手段と、
前記位置差分値およびサイズ差分値に基づいて前記検出された対象物の前記撮像画像における位置およびサイズのうちの少なくとも１つを変更させるための操作アシスト画像を生成する操作アシスト画像生成手段とをさらに具備し、
前記表示制御手段は、前記配置アシスト画像と前記生成された操作アシスト画像とを前記撮像画像に重ねて表示させる
請求項２記載の画像処理装置。
【請求項８】
前記差分値算出手段は、前記表示されている配置アシスト画像により特定される対象物の左右方向の位置と前記検出された対象物の前記撮像画像における左右方向の位置との差分値である左右位置差分値と、前記表示されている配置アシスト画像により特定される対象物の上下方向の位置と前記検出された対象物の前記撮像画像における上下方向の位置との差分値である上下位置差分値とを前記位置差分値として算出し、
前記操作アシスト画像生成手段は、前記左右位置差分値が左右位置閾値を超えた場合には前記検出された対象物の前記撮像画像における左右方向の位置を変更させるための前記操作アシスト画像である左右方向移動指示画像を生成し、前記上下位置差分値が上下位置閾値を超えた場合には前記検出された対象物の前記撮像画像における上下方向の位置を変更させるための前記操作アシスト画像である上下方向移動指示画像を生成し、前記サイズ差分値がサイズ閾値を超えた場合には前記検出された対象物の前記撮像画像におけるサイズを変更させるための操作アシスト画像であるズーム指示画像を生成する
請求項７記載の画像処理装置。
【請求項９】
前記表示制御手段は、前記左右位置差分値が前記左右位置閾値を超えた場合または前記上下位置差分値が前記上下位置閾値を超えた場合には前記ズーム指示画像を表示させず、前記左右位置差分値が前記左右位置閾値を超えず、かつ、前記上下位置差分値が前記上下位置閾値を超えない場合であって、前記サイズ差分値が前記サイズ閾値を超えた場合には前記ズーム指示画像を表示させる請求項８記載の画像処理装置。
【請求項１０】
前記サイズ差分値に基づいて前記検出された対象物の前記撮像画像におけるサイズを変更させるために前記撮像手段のズーム倍率を変化させるズーム制御手段をさらに具備する請求項２記載の画像処理装置。
【請求項１１】
前記表示制御手段は、前記ズーム制御手段により前記ズーム倍率が変化されている場合にはその旨を示す操作アシスト画像を前記撮像画像に重ねて表示させる請求項１０記載の画像処理装置。
【請求項１２】
前記ズーム制御手段は、前記ズーム倍率の変化により前記撮像画像に含まれる被写体が拡大される場合には当該拡大後の撮像画像に前記検出された対象物が含まれる場合にのみ前記ズーム倍率を変化させる制御を行う請求項１０記載の画像処理装置。
【請求項１３】
被写体からの入射光を変換して撮像画像を生成する撮像手段と、
前記撮像画像から、所定の対象物を検出する対象物検出手段と、
前記撮像画像において前記対象物を配置すべき配置状態を示す配置アシスト画像を前記撮像画像に重ねて表示手段に表示させ、前記表示されている配置アシスト画像と前記検出された対象物の前記撮像画像における配置状態に応じて、前記配置アシスト画像を変化させる表示制御手段と
を具備する撮像装置。
【請求項１４】
撮像手段の撮像に応じて得られる撮像画像において所定の対象物を配置すべき配置状態を示す配置アシスト画像を前記撮像画像に重ねて表示手段に表示させる手順と、
前記表示されている配置アシスト画像と前記撮像画像に含まれる前記対象物の前記撮像画像における配置状態に応じて、前記配置アシスト画像を変化させる手順と
を具備する表示制御方法。
【請求項１５】
撮像手段の撮像に応じて得られる撮像画像において所定の対象物を配置すべき配置状態を示す配置アシスト画像を前記撮像画像に重ねて表示手段に表示させる手順と、
前記表示されている配置アシスト画像と前記撮像画像に含まれる前記対象物の前記撮像画像における配置状態に応じて、前記配置アシスト画像を変化させる手順と
をコンピュータに実行させるプログラム。
【手続補正２】
【補正対象書類名】明細書
【補正対象項目名】発明の名称
【補正方法】変更
【補正の内容】
【発明の名称】画像処理装置、撮像装置、表示制御方法およびプログラム
【手続補正３】
【補正対象書類名】明細書
【補正対象項目名】０００１
【補正方法】変更
【補正の内容】
【０００１】
本発明は、画像処理装置に関し、特に、撮像画像を表示させる画像処理装置、撮像装置および表示制御方法ならびに当該方法をコンピュータに実行させるプログラムに関する。
【手続補正４】
【補正対象書類名】明細書
【補正対象項目名】０１２０
【補正方法】変更
【補正の内容】
【０１２０】
なお、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【手続補正５】
【補正対象書類名】明細書
【補正対象項目名】０１２１
【補正方法】削除
【補正の内容】
【手続補正６】
【補正対象書類名】明細書
【補正対象項目名】０１２２
【補正方法】削除
【補正の内容】
【手続補正７】
【補正対象書類名】明細書
【補正対象項目名】０１２３
【補正方法】削除
【補正の内容】
【手続補正８】
【補正対象書類名】明細書
【補正対象項目名】０１２４
【補正方法】削除
【補正の内容】
【手続補正９】
【補正対象書類名】明細書
【補正対象項目名】０１２５
【補正方法】削除
【補正の内容】
【手続補正１０】
【補正対象書類名】明細書
【補正対象項目名】０１２６
【補正方法】削除
【補正の内容】
【手続補正１１】
【補正対象書類名】明細書
【補正対象項目名】０１２７
【補正方法】削除
【補正の内容】